(57)【要約】【課題】コンセントバーや配線処理部材の増設や、取付け位置の微調整等の需要に、幅広く対応することができるとともに、配線が機器ユニット搭載空間に侵入することを防止することができ、かつ、キャビネットの横幅サイズを、機器ユニットを搭載可能な範囲で最小に抑制することができる機器ユニット収納用キャビネットを提供すること。【解決手段】機器ユニット収納用キャビネットを、メインキャビネット１と、配線用キャビネット２から構成し、該配線用キャビネット２を、前記メインキャビネット１の前面もしくは背面方向の少なくとも一方に、隣接配置するとともに、該配線用キャビネット２の側面もしくは側面近傍に、前記機器ユニットにコンセントバー７と配線処理部材６を取付けて使用可能な配線レール８を、前後方向に移動自在に備える。【選択図】図４
2015005656.tif 000002
【特許請求の範囲】
【請求項１】
複数の機器ユニットが上下方向に並べて搭載される機器ユニット収納空間を有するメインキャビネットと、
前記機器ユニット収納空間に収納された各機器ユニットと繋がる配線を纏めて収納する配線用キャビネットから構成され、
該配線用キャビネットを、前記メインキャビネットの前面もしくは背面方向の少なくとも一方に、隣接配置するとともに、
該配線用キャビネットの側面もしくは側面近傍に、前記機器ユニットに電源供給を行うコンセントバーと前記配線を纏める配線処理部材を取付けて使用可能な配線レールを、
前後方向に移動自在に備えることを特徴とする機器ユニット収納用キャビネット。
【請求項２】
前記配線用キャビネットは、配線用レールを複数本取付け可能な奥行き長さを有する
ことを特徴とする請求項１記載の機器ユニット収納用キャビネット。
【請求項３】
前記配線レールを、前面もしくは背面方向から見て、前記機器ユニット収納空間と重複しないよう、より外側に配置した
ことを特徴とする請求項１記載の機器ユニット収納用キャビネット。
【請求項４】
前記配線レールは、コンセントバーを取付ける取付け面を複数面有し、該取付け面のうち、少なくとも２面を、直交させて配置した
ことを特徴とする請求項１記載の機器ユニット収納用キャビネット。
【発明の詳細な説明】
【技術分野】
【０００１】
本発明は、機器ユニット収納用キャビネットに関するものである。  
【背景技術】
【０００２】
データセンターなどで複数のサーバを収容して使用されるキャビネットには、通常、図１５に示すように、各サーバに電源供給を行うためのコンセントバー２６と、各サーバに繋がる配線を処理するための配線処理部材２７（配線ダクト、配線保持部材など）が備えられている。
【０００３】
従来一般に、コンセントバー２６や配線処理部材２７は、図１５や、特許文献１の図４６に示すように、筐体の骨格を構成する外郭フレーム２８や、マウントアングル２９（サーバなどの機器ユニットを搭載するため、筐体内部に配置された部材）に直接取り付けて使用される。そして、図１６に示すように、マウントアングル２９と外郭フレーム２８間に形成される空間の内、筐体の側面寄りの空間を、配線収納空間３０として利用し、内面寄りの空間を、機器ユニットからの排熱を排出する排熱流路３１として利用している。
【０００４】
しかし、図１７に示すように、筐体の骨格を補強する補強フレーム３２を用いる場合、図１８に示すように、前記の配線収納空間が、補強フレーム３２によって狭められ、配線が配線収納空間３０に収まりきれずに排熱流路３１に侵入し、排熱効率が低下する問題があった。
【０００５】
また、コンセントバーや配線処理部材を、外郭フレームやマウントアングルに直接取り付けて使用する場合、取付け箇所が限定され、コンセントバーや配線処理部材の増設や、機器ユニットの奥行サイズに合わせてキャビネットの前後方向の取付け位置の微調整等の需要に対応することができないという問題があった。
【０００６】
その他、コンセントバーの配置に関連し、特許文献２には、複数の電気系統を引き込んだコンセントユニットを、筐体の側壁とマウントアングルとの間に形成される空間に配置する技術が開示されている。
【０００７】
しかし、データセンターのように、キャビネットを複数横方向に連結して使用する場合には、キャビネットの横幅サイズを、機器ユニットを搭載可能な範囲で最小として、限られた空間内に、できる限り多くのキャビネットを配置することが望ましいのに対し、前記特許文献２の技術では、コンセントユニットの配置スペース分、キャビネットの横幅サイズを拡張せざるを得ず、キャビネットの横幅が大きくなるという問題があった。
【先行技術文献】
【特許文献】
【０００８】
【特許文献１】特開２００１−２５７４８１号公報
【特許文献２】特開２０１２−１０５４３０号公報
【発明の概要】
【発明が解決しようとする課題】
【０００９】
本発明の目的は前記の問題を解決し、コンセントバーや配線処理部材の増設や、機器ユニットの奥行サイズに合わせてキャビネットの前後方向の取付け位置の微調整等の需要に、幅広く対応することができるとともに、電源線や通信線などの配線が排熱流路に侵入することを防止することができ、  かつ、キャビネットの横幅サイズを、機器ユニットを搭載可能な範囲で最小に抑制することができる機器ユニット収納用キャビネットを提供することである。
【課題を解決するための手段】
【００１０】
上記課題を解決するためになされた本発明の機器ユニット収納用キャビネットは、複数の機器ユニットが上下方向に並べて搭載される機器ユニット収納空間を有するメインキャビネットと、前記機器ユニット収納空間に収納された各機器ユニットと繋がる配線を纏めて収納する配線用キャビネットから構成され、該配線用キャビネットを、前記メインキャビネットの前面もしくは背面方向の少なくとも一方に、隣接配置するとともに、該配線用キャビネットの側面もしくは側面近傍に、前記機器ユニットに電源供給を行うコンセントバーと前記配線を纏める配線処理部材を取付けて使用可能な配線レールを、前後方向に移動自在に備えることを特徴とするものである。
【００１１】
請求項２記載の発明は、請求項１記載の機器ユニット収納用キャビネットにおいて、前記配線用キャビネットは、配線用レールを複数本取付け可能な奥行き長さを有することを特徴とするものである。
【００１２】
請求項３記載の発明は、請求項１記載の機器ユニット収納用キャビネットにおいて、前記配線レールを、前面もしくは背面方向から見て、前記機器ユニット収納空間と重複しないよう、より外側に配置したことを特徴とするものである。
【００１３】
請求項４記載の発明は、請求項１記載の機器ユニット収納用キャビネットにおいて、前記配線レールは、コンセントバーを取付ける取付け面を複数面有し、該取付け面のうち、少なくとも２面を、直交させて配置したことを特徴とするものである。
【発明の効果】
【００１４】
機器ユニット収納用キャビネットを、複数の機器ユニットが上下方向に並べて搭載される機器ユニット収納空間を有するメインキャビネットと、前記機器ユニット収納空間に収納された各機器ユニットと繋がる配線を纏めて収納する配線用キャビネットから構成し、該配線用キャビネットを、前記メインキャビネットの前面もしくは背面方向の少なくとも一方に、隣接配置することにより、配線処理空間を機器ユニット収納空間と隔離することができる。すなわち、本発明によれば、配線処理空間を機器ユニット収納空間と隔離することにより、キャビネットの横幅サイズを、機器ユニットを搭載可能な範囲で最小に抑制できる。
【００１５】
また、本発明では、独立した配線用キャビネット内に、前後方向に移動自在な配線レールを介して、コンセントバーと配線処理部材を取付ける構成としているため、従来のように、コンセントバーや配線処理部材を、外郭フレームやマウントアングルに直接取り付けて使用する場合と比較して、コンセントバーや配線処理部材の増設や、機器ユニットの奥行サイズに合わせてキャビネットの前後方向の取付け位置の微調整等の需要に、幅広く対応することができる。
【００１６】
コンセントバーや配線処理部材の増設に、より幅広く対応するためには、請求項２記載の発明のように、前記配線用キャビネットが、配線用レールを複数本取付け可能な奥行き長さを有する構成とすることが好ましい。
【００１７】
請求項３記載の発明のように、前記配線レールを、前面もしくは背面方向から見て、前記機器ユニット収納空間と重複しないよう、より外側に配置することにより、配線用キャビネットを取り付けた状態における機器ユニットの収納または取り出し作業の作業性を向上させることができる。また、配線が、機器ユニットの背面に形成される排熱流路に侵入して排熱効率を低下させる現象を確実に回避することができる。
【００１８】
請求項４記載の発明のように、前記配線レールが、コンセントバーを取付ける取付け面を複数面有し、該取付け面のうち、少なくとも２面を、直交させて配置する構成とすることにより、コンセントバーの取り付け向き、すなわち、電源プラグの差し込み方向を９０°変更でき、利便性の向上を図ることができる。
【図面の簡単な説明】
【００１９】
【図１】機器ユニット収納用キャビネットの全体斜視図である。
【図２】図１の水平断面図である。
【図３】機器ユニット収納用キャビネットの要部水平断面拡大図である。
【図４】配線用キャビネットの分解説明図である。
【図５】配線用キャビネットの要部水平断面拡大図である。
【図６】配線用キャビネットの分解説明図である。
【図７】配線用キャビネットの要部説明図である。
【図８】配線レールの説明図である。
【図９】配線レールの説明図である。
【図１０】配線処理部材取付用配線レールの説明図である。
【図１１】コンセントバー取付用配線レールの説明図である。
【図１２】コンセントバー取付用配線レールの説明図である。
【図１３】機器ユニット収納用キャビネットの全体斜視図である。
【図１４】機器ユニット収納用キャビネットの全体斜視図である。
【図１５】従来の機器ユニット収納用キャビネットの全体斜視図である。
【図１６】図１５の端部水平断面図である。
【図１７】従来の機器ユニット収納用キャビネットの全体斜視図である。
【図１８】図１７の端部水平断面図である。
【発明を実施するための形態】
【００２０】
以下に本発明の好ましい実施形態を示す。
【００２１】
本発明では、機器ユニット収納用キャビネット２３を、機器ユニット収納空間となるメインキャビネット１と、配線処理空間となる配線用キャビネット２から構成し、配線処理空間を機器ユニット収納空間と隔離しているため、配線処理空間に影響を与えることなく、機器ユニット収納用キャビネット２３の横幅サイズＷを、機器ユニットを搭載可能な範囲で最小に抑制することができる。
【００２２】
本実施形態のメインキャビネット１には、複数の機器ユニット３を、上下方向に並べて搭載することができる。本実施形態では、図２に示すように、機器ユニット３を、メインキャビネット１を形成する４本の縦フレーム４に取り付ける構造である。縦フレーム４の内側に、機器取り付け用のマウントアングルを備える構造とすることもできる。また、縦フレーム４を含むフレーム枠に扉、側板、天井板を取り付ける構造とすることもできる。縦フレーム４の上下端部には、図１に示すように、補強フレーム５を、隣接する縦フレーム４との間に渡しかけて、メインキャビネット１を形成する枠体の強度向上を図っている。
【００２３】
従来の補強フレームは、図１８に示したように、配線収納空間３０を狭める問題があったが、本発明では、配線処理専用の配線用キャビネットを設けて、配線処理空間を機器ユニット収納空間と隔離しているため、配線収納空間のスペースに影響を与えることなく、補強フレームを設置することができる。
【００２４】
本実施形態では、前後の縦フレーム４で囲まれた空間に、フルサイズ（前後の縦フレーム間距離と略同一長さを有する）機器ユニット３を取り付けている。図３に示すように、機器ユニット３からの排熱は、機器ユニット３の背面側に内蔵されるファン９によって、機器ユニットの背面側から排出される。
【００２５】
また、機器ユニット３と繋がる電源線や通信線などの配線も、機器ユニット３の背面側からに引き出され、配線用キャビネット２に導かれる。
【００２６】
図４に示すように、本実施形態の配線用キャビネット２は、天井部材１０、底面部材１１、左右の側面パネル１２から構成され、機器ユニット収納空間を形成する枠部材１４に形成された配線用キャビネット取付け部に取り付けて、メインキャビネット１の背面方向に隣接配置されている。他の実施形態として、配線用キャビネットを、外枠フレーム、この外枠フレームに取り付けて使用される板材から構成することもできる。配線用キャビネット取付け部への取り付け方法は、特に限定されず、溶接固定や、位置変更可能なネジ止めや、係止部材による係止、など、適宜最適な方法を採用することができる。なお、図１に示すように、背面開口部２４を被覆する扉２５を備える構成とし、セキュリティ性の向上を図ることもできる。
【００２７】
配線用キャビネット取付け部は、メインキャビネット１の枠部材の前後に形成し、必要に応じて、メインキャビネット１の前面側または背面側または、前面側および背面側の双方に、簡単に配線用キャビネットを取付けることができる構造とすることが好ましい。このような構造とすることにより、例えば、図５に示すように、前後の縦フレーム４で囲まれた空間に、ハーフサイズ（前記フルサイズの半分以下の長さを有する）機器ユニット３を、前後に取り付けて使用する場合にも、既設の配線用キャビネット取付け部を利用して、メインキャビネット１の前面側および背面側の双方に、配線用キャビネット２を配置することができる。
【００２８】
図６に示すように、配線用キャビネット２の側面パネル１２の上下に配設したレール部材３９と、天井部材１０と底面部材１１に配設された摺動面１３により、側面パネル１２はスライド可能に保持されている。このように、側面パネル１２を、天井部材１０と底面部材１１に配設された摺動面１３により、スライド可能に保持する構造とすることにより、配線用キャビネット組み立て時の作業性を向上させることができる。また、配線用キャビネット２をメインキャビネット１に隣接させて配置する際に、組み立て上げてキャビネット形状とした後で、配置作業を行う場合、重量が大きく作業が困難となるが、天井部材１０と底面部材１１を、メインキャビネット１に取り付けた後に、側面パネル１２を取り付ける構成とすることにより、配線用キャビネット２の配置作業の作業性を向上させることができる。
【００２９】
図７に示すように、配線用キャビネット２の側面パネル１２には、機器ユニットと繋がる電源線や通信線などの配線を纏める配線処理部材６や、機器ユニット３に電源供給を行うコンセントバー７を取付けて使用可能な、配線レール８を備えている。図８に示すように、配線レール８は、配線用キャビネット２の側面パネル１２上で、水平に配設された複数の取付孔付きの奥行レール１５により、着脱して移動自在に取付保持されている。なお、奥行レール１５に長孔を設けてスライド自在としてもよい。
【００３０】
また、図９に示すように、必要に応じて、奥行レール１５に保持される配線レール８を増設することもできる。
【００３１】
本発明では、このように、独立した配線用キャビネット２内に、前後方向に移動自在な配線レール８を介して、コンセントバー７と配線処理部材６を取付ける構成としているため、従来のように、コンセントバーや配線処理部材を、外郭フレームやマウントアングルに直接取り付けて使用する場合と比較して、コンセントバーや配線処理部材の増設や、機器ユニットの奥行サイズに合わせてキャビネットの前後方向の取付け位置の微調整等の需要に、幅広く対応することができる。
【００３２】
本実施形態の配線レール８は、配線処理部材６を取り付けるための配線処理部材取付用配線レール１６と、コンセントバー７を取り付けるためのコンセントバー取付用配線レール１７からなり、各々、用途に応じて異なる形状を有している。
【００３３】
図７に示す配線処理部材６は、複数の腕部を同方向に配置した単位長のもので、適宜個数直列的に配置することによって配線スペースを構成するものである。
【００３４】
図７、図１０に示すように、配線処理部材取付用配線レール１６は略Ｌ字状に形成され、一辺には、前記奥行レール１５を取り付ける奥行レール取付部３３が形成され、他辺には、配線処理部材６の取付爪と嵌合する配線処理部材取付孔列３４が形成されている。配線処理部材６は、腕部１８が側面パネル１２と平行になるように取り付けられ、側面パネル１２と配線処理部材取付用配線レール１６と配線処理部材６により上下方向に囲われた配線スペースを構成するものである。
【００３５】
図７、図１１に示すように、コンセントバー取付用配線レール１７は略Ｚ字状の形状をしており、垂直に位置する二つの取付辺１９、２０と一つの規制辺２１を備え、各々の辺にはねじ孔列３５が設けられている。基端側の取付辺２０には、配線レール８を奥行レール１５に取り付ける奥行レール取付部３６が形成されている。また、規制辺２１に、適宜個数の略コ字状の規制ピース２２を取り付けることにより、側面パネル１２とコンセントバー取付用配線レール１７と規制ピース２２とにより上下方向に囲われた配線スペースを構成するものである。この配線スペースはコンセントバー７に近接しているので電源線の配線に適している。
【００３６】
図１２に示すように、コンセントバー取付用配線レール１７は、コンセントバー７を取り付ける取付面を複数面有し、取付面のうち、少なくとも２面を直交させているので、取付辺１９と取付辺２０を使い分けることにより、コンセントバーの取り付け向き、すなわち、電源プラグの差し込み方向を９０°変更ですることができる。  
【００３７】
また、図１３、図１４に示すように、複数の機器ユニット収納用キャビネット２３を横方向に連結して使用することができる。また、左右の側面パネル１２のうち、何れか一方にコンセントバー取付用配線レール１７を設けて電源接続エリア３７とし、他方に配線処理部材取付用配線レール１６を設けて通信配線収納エリア３８として、配線を、電源線系統と通信線系統に明確に区分することもできる。
【００３８】
なお、本実施形態では、図５に示すように、配線レール８に取り付けた配線処理部材６やコンセントバー７は、機器ユニット収納用キャビネットの前面もしくは背面方向から見て、メインキャビネット１に収納された機器ユニット３よりも、左右外側に配置されている。配線処理部材６やコンセントバー７を前記位置に配置することにより、配線が配線収納空間に納まり機器ユニットの収納または取り出し作業の作業性を向上させることができる。また、配線が、機器ユニットの排熱流路に侵入して排熱効率を低下させる現象を確実に回避することができる。
【符号の説明】
【００３９】
１  メインキャビネット
２  配線用キャビネット
３  機器ユニット
４  縦フレーム
５  補強フレーム
６  配線処理部材
７  コンセントバー
８  配線レール
９  ファン
１０  天井部材
１１  底面部材
１２  側面パネル
１３  摺動面
１４  枠部材
１５  奥行レール
１６  配線処理部材取付用配線レール
１７  コンセントバー取付用配線レール
１８  腕部
１９、２０  取付辺
２１  規制辺
２２  規制ピース
２３  機器ユニット収納用キャビネット
２４  背面開口部
２５  扉
２６  コンセントバー
２７  配線処理部材
２８  外郭フレーム
２９  マウントアングル
３０  配線収納空間
３１  排熱流路
３２  補強フレーム
３３  奥行レール取付部
３４  配線処理部材取付孔列
３５  ねじ孔列
３６  奥行レール取付部
３７  電源接続エリア
３８  通信配線収納エリア
３９  レール部材
【図１】
2015005656.tif 000003
【図２】
2015005656.tif 000004
【図３】
2015005656.tif 000005
【図４】
2015005656.tif 000006
【図５】
2015005656.tif 000007
【図６】
2015005656.tif 000008
【図７】
2015005656.tif 000009
【図８】
2015005656.tif 000010
【図９】
2015005656.tif 000011
【図１０】
2015005656.tif 000012
【図１１】
2015005656.tif 000013
【図１２】
2015005656.tif 000014
【図１３】
2015005656.tif 000015
【図１４】
2015005656.tif 000016
【図１５】
2015005656.tif 000017
【図１６】
2015005656.tif 000018
【図１７】
2015005656.tif 000019
【図１８】
2015005656.tif 000020